(57)【要約】【課題】ライニングに対するアンカー効果は保持しつつ、安価、容易にライニング出来、小さい口径の測定管でもはく離のないライニングが実施できる電磁流量計を実現する。【解決手段】測定管の内径面にライニングされたライニング体を具備する電磁流量計において、前記測定管の内径面に取付けられた耐熱性繊維クロスシートと、この耐熱性繊維クロスシートと前記測定管の内径面とを覆って設けられたライニング体とを具備したことを特徴とする電磁流量計である。【選択図】図１
2011064493.tif 000002
【特許請求の範囲】
【請求項１】
測定管の内径面にライニングされたライニング体を具備する電磁流量計において、
前記測定管の内径面に取付けられた耐熱性繊維クロスシートと、
この耐熱性繊維クロスシートと前記測定管の内径面とを覆って設けられたライニング体と
を具備したことを特徴とする電磁流量計。
【請求項２】
前記耐熱性繊維クロスシートは、ガラス繊維クロスシートが使用されたこと
を特徴とする請求項１記載の電磁流量計。
【発明の詳細な説明】
【技術分野】
【０００１】
本発明は、電磁流量計に関するものである。
更に詳述すれば、電磁流量計のライニングの係止構造に関するものである。
【背景技術】
【０００２】
図４は、従来より一般に使用されている従来例の構成説明図で、図の上側半分が断面図で示されている。
図５は図４の部品詳細説明図、図６は図４の側面図である。
【０００３】
図４は、測定管１にライニングが施されたものである。
電磁流量計は、使用条件（流体温度、圧力等）により、ライニング内径寸法等が変形することがあり、それが測定精度に悪影響を与えることがある。
そのため、ライニング体２の変形を防ぐためにライニング体２の内部にそれを係止する係止板３が設けられている。その係止板３の詳細を図５に示す。
【０００４】
図５において、筒状の係止板３に穴４が複数個設けられている。ライニング体２はその穴４の中にも施されるため、穴４で固定され、上述のような変形を防止することができる。
【先行技術文献】
【特許文献】
【０００５】
【特許文献１】特開２００２−０４８６１２号公報
【特許文献２】特開２００２−０５４９６０号公報
【発明の概要】
【発明が解決しようとする課題】
【０００６】
このような装置においては、以下の問題点がある。
金属との接着性がないライニング材に対しては、測定管内側に穴のあいた金属板を円筒形状にした係止板を挿入して、測定管と溶接し、その後ライニングを実施していた。
ライニングと測定管とは接着性はないが、測定管と溶接した係止板とライニングとの間にアンカー効果があるため、ライニングは測定管から剥離することはない。
【０００７】
しかし、測定管の内径は寸法公差があるため、金属製の係止板と位置合わせをすることが非常に困難で、係止板を測定管の寸法公差上限に対応するものと、寸法公差下限に対応するものといった複数の寸法のものを用意する必要があった。
また、係止板は金属製の板に穴をあけて円筒状にまるめるため、製造上のコストがかかるというデメリットもあった。
【０００８】
また、小さい口径の測定管に対しては、金属の係止板を測定管に溶接することが困難である。更に、例えば、ガラスクロスとＰＦＡ（テトラフルオロエチレン・パーフルオロアルキルビニルエーテル共重合体］（以下「ＰＦＡ」と称する。）の一体シートを測定管内に接着する方法においては、素材(金属やＰＦＡ)の曲げ性がよくないため小さい口径に対しては適用できなかった。
【０００９】
本発明の目的は、上記の課題を解決するもので、ライニングに対するアンカー効果は保持しつつ、安価、容易にライニング出来、小さい口径の測定管でもはく離のないライニングが実施できる電磁流量計を提供することにある。
【課題を解決するための手段】
【００１０】
このような課題を達成するために、本発明では、請求項１の電磁流量計においては、
測定管の内径面にライニングされたライニング体を具備する電磁流量計において、前記測定管の内径面に取付けられた耐熱性繊維クロスシートと、この耐熱性繊維クロスシートと前記測定管の内径面とを覆って設けられたライニング体とを具備したことを特徴とする。
【００１１】
本発明の請求項２の電磁流量計においては、請求項１記載の電磁流量計において、
前記耐熱性繊維クロスシートは、ガラス繊維クロスシートが使用されたことを特徴とする。
【発明の効果】
【００１２】
本発明の請求項１によれば、次のような効果がある。
測定管の内径寸法公差の許容差の幅が大きい場合でも、内側に貼り付ける耐熱性繊維クロスシートは、簡便にその長さを切って調節でき、係止板の如く、複数の寸法の係止板を準備して置く必要がなく、製造部品の管理が簡潔化出来る電磁流量計が得られる。
【００１３】
また、曲げ性もよいので、小さい円筒形状にすることも容易で、口径の小さい測定管の内側にも比較的容易に接着でき、ライニング可能な口径範囲を拡大できる電磁流量計が得られる。
測定管とライニング体のはく離を抑える、従来の係止板によるアンカー効果機能を保有しつつ、簡易にライニングすることができる電磁流量計が得られる。
【００１４】
材料の利点として、耐熱性繊維クロスシートは、一般に、市販性が高い材料なので入手性も容易であり、且つ、比較的安価で、耐熱性に非常に優れており、金属との接着性がよい材質である。
ガラスクロスの厚みや織り方は、ライニングの係止力を考慮しながら、自由に選べる。
織り方は一般的に平織、綾織が用いられる。
【００１５】
接着の利点として、接着剤についても高温用でも十分な接着性能を有するものが市販されている。接着は簡単な作業であるため、金属の係止板の場合に必要な、溶接装置や溶接技能のような特殊な装置や特殊の技能も必要ない。
【００１６】
付加的効果として、ＰＦＡなどのライニング樹脂は、流体が気化して浸透し測定管との界面に液体となってたまる。このため測定管にドレインホール(穴)を設けて、たまった液体を逃がための種々な対策がとられてきた。本発明においては、浸透して管壁にたまった流体が耐熱性繊維クロスシート内の微細な通路を経由してドレインホールにまで達し、管外へ容易に逃がすことが出来る。
【００１７】
本発明の請求項２によれば、次のような効果がある。
耐熱性繊維クロスシートは、ガラス繊維クロスシートが使用されたので、ガラス繊維クロスシートは住宅用等にも広く使用され、特に市販性が高い材料なので入手性も容易であり、且つ、安価で、耐熱性に非常に優れており、金属との接着性がよい材質であるので、
安価で、耐熱性、作業性が向上された電磁流量計が得られる。
【図面の簡単な説明】
【００１８】
【図１】本発明の一実施例の要部構成説明図である。
【図２】図１の要部構成説明図である。
【図３】図１の要部斜視説明図である。
【図４】従来より一般に使用されている従来例の要部構成説明図である。
【図５】図４の部品詳細説明図である。
【図６】図４の側面図である。
【発明を実施するための形態】
【００１９】
以下本発明を図面を用いて詳細に説明する。
図１は本発明の一実施例の要部構成説明図、図２は図１の要部構成説明図、図３は図１の要部斜視説明図である。
図において、図４と同一記号の構成は同一機能を表す。
以下、図４との相違部分のみ説明する。
【００２０】
図１において、耐熱性繊維クロスシート１１は、測定管１の内径面に取付けられている。この場合は、接着Ａされている。
この場合は、耐熱性繊維クロスシートは、ガラス繊維クロスシートが使用されている。
ライニング体１２は、耐熱性繊維クロスシート１１と測定管１の内径面とを覆って設けられている。
【００２１】
以上の構成において、
（１）ガラスクロスシートを測定管の内側に接着する。
接着の方法はいくつかあるが、たとえば、測定管１の内面の全面に接着材を塗っておき、それにあうように切ったガラスクロスシート１１を測定管１に沿うように貼っていく。  始点と終点の継目は多少重なり合っていても性能上問題ない。
ガラスクロスシート１１は、市販のはさみなどで簡単にカットできるので、内径が異なる測定管１があってもそれにあわせることが簡単である。
【００２２】
２）ライニング成型装置に入れてライニングを実施する。
ガラスクロスシート１１は繊維でできているので、ライニング樹脂１２がその隙間に入り込むため、樹脂が硬化したときに係止板３と同様のアンカー効果が期待できる。
【００２３】
この結果、
測定管の内径寸法公差の許容差の幅が大きい場合でも、内側に貼り付けるガラスクロスシート１１は、簡便にその長さを切って調節でき、係止板３の如く、複数の寸法の係止板３を準備して置く必要がなく、製造部品の管理が簡潔化出来る電磁流量計が得られる。
【００２４】
また、曲げ性もよいので、小さい円筒形状にすることも容易で、口径の小さい測定管の内側にも比較的容易に接着でき、ライニング可能な口径範囲を拡大できる電磁流量計が得られる。
測定管１とライニング体１２のはく離を抑える、従来の係止板３によるアンカー効果機能を保有しつつ、簡易にライニング１２することができる電磁流量計が得られる。
【００２５】
材料の利点として、ガラスクロスシート１１は、一般に、市販性が高い材料なので入手性も容易であり、且つ、比較的安価で、耐熱性に非常に優れており、金属との接着性がよい材質である。
ガラスクロスの厚みや織り方は、ライニングの係止力を考慮しながら、自由に選べる。
織り方は一般的に平織、綾織が用いられる。
【００２６】
接着の利点として、接着剤についても高温用でも十分な接着性能を有するものが市販されている。接着は簡単な作業であるため、金属の係止板３の場合に必要な、溶接装置や溶接技能のような特殊な装置や特殊の技能も必要ない。
【００２７】
付加的効果として、ＰＦＡなどのライニング樹脂１２は、流体が気化して浸透し測定管１との界面に液体となってたまる。このため測定管１にドレインホール(穴)を設けて、たまった液体を逃がための種々な対策がとられてきた。本発明においては、浸透して管壁にたまった流体がガラスクロスシート１１内の微細な通路を経由してドレインホールにまで達し、管外へ容易に逃がすことが出来る。
【００２８】
また、耐熱性繊維クロスシートは、ガラス繊維クロスシート１１が使用されたので、ガラス繊維クロスシート１１は住宅用等にも広く使用され、特に市販性が高い材料なので入手性も容易であり、且つ、安価で、耐熱性に非常に優れており、金属との接着性がよい材質であるので、安価で、耐熱性、作業性が向上された電磁流量計が得られる。
【００２９】
なお、前述の実施例においては、ガラスクロスシートに付いて、使用すると説明したが、これに限ることはなく、例えば、ガラスクロスの帯であっても良く、要するに、ガラスクロスシート状になれば良い。
【００３０】
ガラスクロスシートの代わりに、一般に市販されているガラスクロスの帯を利用できる。
測定管の内側に帯を、らせん状に巻いて接着していくことで、測定管１の全内面にガラスクロスを貼り付けることができる。
【００３１】
また、ガラス繊維クロスシート材のかわりにセラミック繊維、シリカ繊維、アルミナ繊維といった材料シートを用いても良く、要するに、耐熱性繊維クロスシートであれば良い。
これらはいずれも、安価に、一般に市販されている材料である。
【００３２】
本発明は、（ＰＦＡなどの）ライニング方式は、一般的なトランスファ成型、射出成型のほかに回転成形といった成型方式が可能である。
【００３３】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３４】
１    測定管
２    ライニング体
３    係止板
４    穴
１１  ガラス繊維クロスシート
１２  ライニング体
Ａ    接着
【図１】
2011064493.tif 000003
【図２】
2011064493.tif 000004
【図３】
2011064493.tif 000005
【図４】
2011064493.tif 000006
【図５】
2011064493.tif 000007
【図６】
2011064493.tif 000008